(57)【要約】【課題】視差を利用した立体画像の三次元ＣＡＤ画像を使用する鍛造又は鋳造ゴルフクラブヘッドの三次元ＣＡＤデータの修正方法を提供する。【解決手段】見本又は母型の形状を実測して三次元ＣＡＤデータを取得し、該取得したデータを入力して三次元ＣＡＤの立体画像を表示すると共に、見本等の形状と三次元ＣＡＤの立体画像との差異をチェックし、前記差異が許容範囲に入っていない場合には、見本等の差異部を再実測して取得したデータを入力して立体画像を再表示すると共に、見本等と再表示した立体画像との差異をチェックして、差異が許容範囲に入るまで、前述の工程を繰返すことを特徴とする。【選択図】図１
2012135422.tif 000002
【特許請求の範囲】
【請求項１】
ゴルフクラブヘッドを表示する三次元ＣＡＤ画像を用いた三次元ＣＡＤデータの修正方法であって、
ゴルフクラブヘッドの見本又は母型の形状を実測して三次元ＣＡＤデータを取得する第１工程と、
該取得した三次元ＣＡＤデータを入力して三次元ＣＡＤ画像を表示する第２工程と、
前記見本又は母型の形状と、前記表示した三次元ＣＡＤ画像と、を視覚により比較して差異をチェックする第３工程と、
を備え、
さらに、前記差異が許容範囲に入っていない場合には、
前記見本又は母型の差異部を再実測して三次元ＣＡＤデータを再取得する第４工程と、
該再取得した三次元ＣＡＤデータを再入力して三次元ＣＡＤ画像を再表示する第５工程と、
前記見本又は母型と、前記再表示した三次元ＣＡＤ画像と、を視覚により比較して前記差異を再チェックする第６工程と、
を備えて差異が許容範囲に入るまで、第４〜６工程を繰返して修正することを特徴とする鍛造又は鋳造ゴルフクラブヘッドの三次元ＣＡＤデータの修正方法。
【請求項２】
前記三次元ＣＡＤ画像は、視差を利用した立体画像として表示することによって、前記鍛造又は鋳造ゴルフクラブヘッドの外観の凹凸形状が視認できて、見本又は母型の形状との差異を視認可能としたことを特徴とする請求項１に記載の鍛造又は鋳造ゴルフクラブヘッドの三次元ＣＡＤデータの修正方法。
【請求項３】
三次元ＣＡＤ画像を用いて鍛造又は鋳造ゴルフクラブヘッドの商品見本を展示する方法において、請求項２に記載の三次元ＣＡＤデータ修正方法を使用した三次元ＣＡＤデータを、視差を利用した立体画像として展示することを特徴とする鍛造又は鋳造ゴルフクラブヘッドの商品見本展示方法。
【請求項４】
前記立体画像は、偏光フィルター方式又はアクティブ・シャッター方式又はカラーフィルター方式又はパララックス方式を用いた立体映像であることを特徴とする請求項２に記載の鍛造又は鋳造ゴルフクラブヘッドの三次元ＣＡＤデータの修正方法。
【請求項５】
前記立体画像は、偏光フィルター方式又はアクティブ・シャッター方式又はカラーフィルター方式又はパララックス方式を用いた立体映像であることを特徴とする請求項３に記載の鍛造又は鋳造ゴルフクラブヘッドの商品見本展示方法。
【発明の詳細な説明】
【技術分野】
【０００１】
本発明は、ゴルフクラブのヘッドの三次元ＣＡＤに関するものであり、具体的には、鍛造又は鋳造ゴルフクラブのヘッドを実測した三次元ＣＡＤデータを立体画像にして、見本（実物）又は母型（実寸大の模型）と比較しやすくして、見本又は母型との差異を修正してより正確な三次元ＣＡＤデータを取得する方法、および、そのデータを使用して商品を三次元ＣＡＤによって立体的に可視化して展示する方法に関するものである。
【背景技術】
【０００２】
従前より、ゴルフクラブを製造するうえで、三次元ＣＡＤが用いられていた。アイアン、ドライバー、パター等のゴルフクラブの鍛造又は鋳造ヘッドの金型を製造する場合に、見本や母型等を製造し、その数値を実測して三次元ＣＡＤのデータとし、そのデータを三次元ＣＡＤで画像化して、見本や母型等との差異をチェックしＣＡＤデータを修正して正式なＣＡＤデータとした。この場合、実際に金型を作成するのは、正式なＣＡＤデータが確定した後であるので、無駄に何度も金型を製作する必要がないので費用と製作時間を節約することができた。
【０００３】
また、ゴルフクラブヘッドを設計する場合においても、三次元ＣＡＤが用いられており、例えば、ウッド型中空ゴルフクラブヘッドを三次元ＣＡＤを用いてヘッド外面データからヘッドの肉厚を計算する有効な設計手段が先行技術として開示されている（文献１）
【先行技術文献】
【特許文献】
【０００４】
【特許文献１】特開２００２−６５９９６号公報（〔請求項１〜６〕、〔０００２〜００１６〕、〔図２、１０〜１３〕）
【発明の概要】
【発明が解決しようとする課題】
【０００５】
前記先行技術は、中空タイプのゴルフクラブの外面データからヘッドの肉厚を設計するのには大変便利であるが、使用される画像は三次元ＣＡＤの画像であるが、実際には平面図（投影図）である。したがって、前記先行技術の三次元ＣＡＤでも、前記従来の金型を作成する場合に使用している三次元ＣＡＤでも、三次元ＣＡＤの画像が、縦、横と任意に回転できて、あらゆる方向からの画像を確認することができ大変便利であるが、三次元ＣＡＤの画像は、実際には平面図（投影図）であるので、その平面図を見る人の見方の熟練度によっては誤認又は錯誤をしてしまい、見本や母型等との差異チェックが不完全なものとなって、再修正と再チェックが何度も繰り返されることがある。また、場合によっては、製作した金型を作り替えなければならず、費用と時間が無駄になる点で問題があった。
【０００６】
そこで、本発明は、上記の問題等を解決したものであって、視差を利用した立体画像の三次元ＣＡＤ画像を使用することによって、三次元ＣＡＤ画像を見る人の見方の熟練度にかかわらず誤認又は錯誤をなくして視認ができ、三次元ＣＡＤデータを確実に修正することができる鍛造又は鋳造ゴルフクラブヘッドの三次元ＣＡＤデータの修正方法を提供するものであり、さらにその修正された三次元ＣＡＤデータを用いて視差による立体画像として表示して、商談相手に鍛造又は鋳造ゴルフクラブヘッドの商品見本を展示することができる方法を提供するものである。
【課題を解決するための手段】
【０００７】
本発明の請求項１に係る鍛造又は鋳造ゴルフクラブヘッドの三次元ＣＡＤデータの修正方法は、ゴルフクラブヘッドを表示する三次元ＣＡＤ画像を用いた三次元ＣＡＤデータの修正方法であって、ゴルフクラブヘッドの見本又は母型の形状を実測して三次元ＣＡＤデータを取得する第１工程と、該取得した三次元ＣＡＤデータを入力して三次元ＣＡＤ画像を表示する第２工程と、前記見本又は母型の形状と、前記表示した三次元ＣＡＤ画像と、を視覚により比較して差異をチェックする第３工程と、を備え、さらに、前記差異が許容範囲に入っていない場合には、前記見本又は母型の差異部を再実測して三次元ＣＡＤデータを再取得する第４工程と、該再取得した三次元ＣＡＤデータを再入力して三次元ＣＡＤ画像を再表示する第５工程と、前記見本又は母型と、前記再表示した三次元ＣＡＤ画像と、を視覚により比較して前記差異を再チェックする第６工程と、を備えて差異が許容範囲に入るまで、第４〜６工程を繰返して修正することを特徴とする。
【０００８】
本発明の請求項２に係る鍛造又は鋳造ゴルフクラブヘッドの三次元ＣＡＤデータの修正方法は、請求項１において、前記三次元ＣＡＤ画像は、視差を利用した立体画像として表示することによって、前記鍛造又は鋳造ゴルフクラブヘッドの外観の凹凸形状が視認できて、見本又は母型の形状との差異を視認可能としたことを特徴とする。
【０００９】
これらの構成により請求項１、２に係る立体画像視差を用いた鍛造ゴルフクラブヘッドの三次元ＣＡＤデータ修正方法を用いれば、視差を利用した立体画像の三次元ＣＡＤ画像を使用しているのでゴルフクラブヘッドの外観の凹凸を正確に再現して視認できる。よって、誰でも画像を解析する熟練度に左右されずに見本や母型の形状と三次元ＣＡＤ立体画像との形状の差異の確認が素早くできて、かつ、形状を錯誤して視認しないので、三次元ＣＡＤデータの修正が容易で見落としがなくなる。
【００１０】
したがって、三次元ＣＡＤデータを用いて鋳造又は鍛造の金型を作成する前に、三次元ＣＡＤデータの間違いに気付くことができるので、高価な金型の製作が無駄になることがなく、経費と時間が節約できる。ここで、ＣＡＤ画像を立体的に表示するために、人が左右それぞれ違う像を見て脳内で立体的に感じることを利用している。すなわち、右目と左目とが少しずれた別々の画像を見る視差を利用することによって三次元ＣＡＤ画像を立体的に視認することができることになる。
【００１１】
また、立体画像に再現できるハードウェアとソフトウェアがあれば、社内又は協力会社で設計するにあたり、離れた場所であっても、設計の打合せや設計の確認も、三次元ＣＡＤデータを、電子メール等で送付して、立体画像を見ながら電話等で打合せて修正することが可能となり、設計技術者の出張や見本の輸送等の手間を掛けずに三次元ＣＡＤデータを修正することができる。
【００１２】
請求項３に係る商品見本展示方法は、三次元ＣＡＤ画像を用いて鍛造又は鋳造ゴルフクラブヘッドの商品見本を展示する方法において、請求項２に記載の三次元ＣＡＤデータの修正方法を使用した三次元ＣＡＤデータを、視差を利用した立体画像として展示することを特徴とする。
【００１３】
この構成により請求項３に係る鍛造又は鋳造ゴルフクラブヘッドの商品見本展示方法を用いれば、視差を利用した立体画像を視覚で確認できる商品見本の展示ができるので、商談において現品と同等のものが扱え間違いが起きない。また、展示品も同じ形状で色違いゴルフクラブヘッドの展示が容易であり、これにより実物をすべてそろえる必要がなく、実際に作成する展示品の数を少なくすることができる。また、商談中のゴルフクラブヘッド形状の変更も容易にできて、試作品を製作せずに確認できるので、商談に際して時間と労力の無駄を省くことができる。また、立体画像に再現できるハードウェアとソフトウェアがあれば、離れた場所での商談も、三次元ＣＡＤデータなので、電子メール等で送付できて、人の移動や見本の輸送に手間を掛けずに商談をすることができるので、効率的である。また、ショーウィンドウに展示する場合にも、見本（実物）を展示しないので、高価な鍛造ゴルフクラブヘッドの見本が損傷したり、盗難にあうこともない。
【００１４】
請求項４に係る鍛造又は鋳造ゴルフクラブヘッドの三次元ＣＡＤデータの修正方法は、請求項２において、前記立体画像は、偏光フィルター方式又はアクティブ・シャッター方式又はカラーフィルター方式又はパララックス方式を用いた立体映像であることを特徴とする。
【００１５】
請求項５に係る鍛造又は鋳造ゴルフクラブヘッドの商品見本展示方法は、請求項３において、前記立体画像は、偏光フィルター方式又はアクティブ・シャッター方式又はカラーフィルター方式又はパララックス方式を用いた立体映像であることを特徴とする。
【００１６】
これらの構成をとることにより、ゴルフクラブヘッドの三次元ＣＡＤ画像を確認する人や、商談をする人は、視差によってＣＡＤ画像を立体的に視認することができる。
【００１７】
なお、ＣＡＤ画像を立体的に表す方法には、例えば偏光フィルター方式、アクティブ・シャッター方式、カラーフィルター方式、パララックス方式がある。偏光―フィルター方式とは、例えば、左目用の画像は上下に振動する光のみ、右目用の画像は左右に振動する光のみを通す偏光メガネによって、左右の画像を分けて視差を作り出す方法である。また、アクティブ・シャッター方式とは、例えば、モニターの画像を短時間に、左目用の画像と右目用の画像とを繰返して表示し、それに見る人がかけているメガネがそれぞれ画像に同調して左目と右目のシャッターが開き視認できることによって視差を作り出す方法である。また、カラーフィルター方式とは、例えば、左目用には赤色、右目用には青色のフイルムを張ったメガネをかけて見るモニターの画像は、それぞれの色の補色である左目用には青緑、右目用には赤紫色した画像で視差を作り出す方法である。また、パララックス方式とは、例えば、パララックスバリア方式と呼ばれ画像と目の間にスリットを入れ左目からは左目用の画像しか見えないようにしており、同様に右目からは右目用の画像しか見えないようにして視差を作り出している。
【発明の効果】
【００１８】
本発明に係る請求項１又は２又は４の記載によれば、三次元ＣＡＤを平面図ではなく立体図として明確に凹凸を視認できるので、見本や母型との差異を見落とさない。すなわち三次元ＣＡＤ画像を認識する熟練度にかかわらずに正確に迅速にチェック作業ができる。よって誰でも簡単に作業ができるようになり作業時間の短縮を図れて、そのうえ人件費を抑えることができる。また、精度が高い製品を製作することが容易となる。
【００１９】
本発明に係る請求項３又は５の記載によれば、立体画像で確認しながら商談できるので錯誤がなく安心して商取引ができる。また、離れた場所でもＣＡＤデータをメールで送ることができて、人や物の移動や輸送時間を掛けずに商談ができるので効率的である。また、見本をショーウィンドウに展示する必要がなく、見本（現物）が損傷したり盗難にあうこともない。
【図面の簡単な説明】
【００２０】
【図１】図１は、本発明の鍛造又は鋳造ゴルフクラブヘッドの三次元ＣＡＤデータの修正方法を実施するためのフローチャートである。
【発明を実施するための形態】
【００２１】
本発明に係る鍛造又は鋳造ゴルフクラブのヘッドの三次元ＣＡＤデータの修正方法及び商品見本展示方法を実施するための形態について図１を用いて説明する。図１は、本発明の鍛造又は鋳造ゴルフクラブヘッドの三次元ＣＡＤデータの修正方法を実施するためのフローチャートである。
【００２２】
まずはじめに、鍛造又は鋳造ゴルフクラブのヘッドの三次元ＣＡＤデータの修正方法について説明する。鍛造又は鋳造ゴルフクラブのヘッドの三次元ＣＡＤデータの修正方法は、見本又は母型の形状を実測して三次元ＣＡＤデータを取得する第１工程と、その取得した三次元ＣＡＤデータをコンピューターに入力して三次元ＣＡＤ画像をコンピューターのモニターに表示する第２工程と、見本又は母型の形状とモニターに表示された三次元ＣＡＤの画像とを見比べて差異部をチェックする第３工程と、を順次行い差異が許容値に入っている場合には、その三次元ＣＡＤデータが最終三次元ＣＡＤデータとなる。一方、許容値に入っていない場合には、見本又は母型の形状を再度実測して三次元ＣＡＤデータを取得する第４工程と、その再取得した三次元ＣＡＤデータをコンピューターに入力して三次元ＣＡＤ画像をコンピューターのモニターに再表示する第５工程と、見本又は母型の形状とモニターに表示された三次元ＣＡＤの画像とを見比べて差異部を再チェックする第６工程と、を順次行い差異が許容値に入っている場合には、その三次元ＣＡＤデータが最終三次元ＣＡＤデータとなる。一方、許容値に入っていない場合には、再び第４〜６工程を許容範囲に入るまで繰返す。また、ここで表示される三次元ＣＡＤ画像（第２、３、５、６工程）は、視差を利用した立体画像として表示されている。
【００２３】
第１工程及び第４工程では見本又は母型をノギスやレーザー測定器を使用して計測し、測定部分は、およそ１．０ｍｍメッシュの間隔で０．１ｍｍの単位まで正確に測定する。したがって、見本又は母型の外観形状を忠実に計測することになるが、ゴルフクラブヘッドの特徴として、形状の要素に曲線が多いので測定誤差がどうしても発生してしまうことになる。次に、第２工程及び第５工程ではデータを手動又は計測機から自動でコンピューターに入力して、モニターに視差を利用した立体画像を表示する。そして、第３工程及び第６工程ではその立体画像と、見本又は母型とを見比べて差異のある部分即ち誤差を見つけ出す。そして、差異が０．１ｍｍ以下となるまで第４〜第６工程を繰返すのである。このことによって、見本又は母型を測定した三次元ＣＡＤは、非常に正確なデータとなるのである。
【００２４】
本発明の特徴は、三次元ＣＡＤ画像が視差を利用した立体画像であるので、作業員の熟練度にかかわらず誰でも見本や母型の形状と三次元ＣＡＤ立体画像との形状の差異を素早く正確に確認できて、かつ、形状を錯誤しないので、三次元ＣＡＤデータの修正が容易で見落としがなくなることである。したがって、三次元ＣＡＤデータを用いて金型を作成する前に、三次元ＣＡＤデータの間違いに気付くことが容易であり、高価な金型が無駄になることがなく、経費と時間が節約できる。
【００２５】
また、三次元ＣＡＤ立体画像は、拡大縮小が手軽にできるので、縮小して全体像として見たり、必要個所を拡大して見ることができる。例えば、修正個所の見つけ方法の一つとして、ＣＡＤ画像を縮小して全体を立体的に表示して、視認によって全体像の中で修正個所を確認し、そして、その修正すべき箇所を、ＣＡＤ画像を拡大することによって、より詳細に差異を確認することが可能となる。そして、その差異部を修正した後、再びＣＡＤ画像を縮小して全体を立体的に表示して全体像として不都合がないか再確認する。このことによって、三次元ＣＡＤ立体画像は、効率良くしかも錯誤なく修正できるのである。
【００２６】
なお、ＣＡＤ画像を立体的に表す方法には、例えば偏光フィルター方式、アクティブ・シャッター方式、カラーフィルター方式、パララックス方式がある。。人間は物を見る場合に左右の目で少しだけ異なる像を見ており、その像の差が視差である。人間は、三次元立体画像によって作り出された視差により脳内で立体感を感じるのである。ここで、偏光―フィルター方式とは、例えば、左目用の画像は上下に振動する光のみ、右目用の画像は左右に振動する光のみを通す偏光メガネによって、左右の画像を分けて視差を作り出す方法である。また、アクティブ・シャッター方式とは、例えば、モニターの画像を短時間に、左目用の画像と右目用の画像とを繰返して表示し、それに見る人がかけているメガネがそれぞれ画像に同調して左目右目のシャッターが開き視認できることによって視差を作り出す方法である。また、カラーフィルター方式とは、例えば、左目用には赤色、右目用には青色のフイルムを張ったメガネをかけて、モニターの画像は、それぞれの色の補色である左目用には青緑、右目用には赤紫色した画像で視差を作り出す方法である。また、パララックス方式とは、例えば、パララックスバリア方式と呼ばれ画像と目の間にスリットを入れ左目からは左目用の画像しか見えないようにしており、同様に右目からは右目用の画像しか見えないようにして視差を作り出している。
【００２７】
次に、鍛造又は鋳造ゴルフクラブのヘッドの商品見本展示方法の一例を説明する。本発明に係る商品見本展示方法は、本発明の鍛造又は鋳造ゴルフクラブのヘッドの三次元ＣＡＤデータの修正方法を使用して得られた三次元ＣＡＤデータを用いて、コンピュータのモニターに視差を利用した立体画像を写し出してそれを商談に利用するのである。
【００２８】
この場合、ゴルフクラブヘッドの展示品は立体的に視認可能であり、出来上がった製品と展示品との差はないので、商談において現物との確認が容易で間違いがない。したがって、製造する試作品の数を極力減らすことが可能となる。また、本発明の展示方法による展示品は、同じ形状で色違いはコンピューターですぐに色彩を変更できるので、色彩を違えた展示品の数も極力減らすことが可能である。従って、試作品や展示品を作成する時間と費用を抑えることができる。また、立体画像に再現できる専用のモニターと、場合により専用メガネがあれば、離れた場所での商談も、三次元ＣＡＤデータなので、電子メール等で送付して、現物と同様の立体画像で確認できるから電話等で十分商談ができ、人の移動時間や見本の輸送時間及び出張費や輸送費を掛けずに商談をすることができる。また、ショーウィンドウに展示する場合にも、見本（実物）を展示しないので、高価な鍛造ゴルフクラブヘッドの見本が損傷したり盗難にあうことがない。
【００２９】
また、ショウウィンドウに展示する場合にも、本発明を利用することができる。この場合には、商店の前を通行した人が手軽に立体画像の展示品を確認できるように、専用メガネが不要なパララックス方式による展示が好ましい。またこの場合には、実物を展示していないので、高価なゴルフクラブヘッドが盗難にあうこともない。
【産業上の利用可能性】
【００３０】
ゴルフクラブヘッドの製造分野で利用でき、また、三次元ＣＡＤを使う分野でも利用でき、さらに商品の展示方法は、盗難のおそれがある高価な物を展示する分野でも広く利用できる。
【図１】
2012135422.tif 000003